(57)【要約】【課題】タイマー操作対象の電動遮蔽装置について、その位置情報と日出・日没時刻に基づいて動作させるように設定制御可能とする移動端末及び信号処理装置、並びに電動遮蔽装置の遠隔操作システムを提供する。【解決手段】本発明の移動端末１は、当該電動遮蔽装置８の設置場所を示す位置情報を設定する位置情報設定手段と、位置情報に応じて自動算出される日出・日没時刻を基準にタイマー動作時間を設定するタイマー設定手段とを備える。一態様の電動遮蔽装置の遠隔操作システムにて、移動端末１とタイマー操作対象の電動遮蔽装置８との中継通信を行う信号処理装置２は、移動端末１から設定されたタイマー動作時間を含む設定データを基に当該電動遮蔽装置８のタイマー動作を自動で実行させる手段を備える。別態様の電動遮蔽装置の遠隔操作システムにて、信号処理装置２が、当該位置情報設定手段及びタイマー設定手段を備える。【選択図】図６
2019186874.tif 000002
【特許請求の範囲】
【請求項１】
タッチパネル式の表示画面を備え電動遮蔽装置に対するタイマー操作を可能とする移動端末であって、
タイマー操作対象の電動遮蔽装置の設置場所を示す位置情報を設定する位置情報設定手段と、
日出・日没時刻を基準にタイマー動作時間を設定するタイマー設定手段と、
指定のタイマー動作を設定するタイマー動作設定手段と、を備え、
当該タイマー操作対象の電動遮蔽装置に対し、当該設定したタイマー動作時間で、当該指定されるタイマー動作を自動で実行させることを特徴とする移動端末。
【請求項２】
前記タイマー設定手段は、前記位置情報に応じた日出・日没時刻を自動算出し、前記日出・日没時刻からプラス又はマイナス若しくはその両方の時間で前記タイマー動作時間を設定する機能を有することを特徴とする、請求項１に記載の移動端末。
【請求項３】
前記位置情報設定手段は、前記位置情報として、前記タイマー操作対象の電動遮蔽装置の設置場所を示す緯度・経度又は緯度・経度・高度をインターネット経由の地図、又は位置認識情報を参照して設定する機能を有することを特徴とする、請求項１又は２に記載の移動端末。
【請求項４】
前記タイマー設定手段は、月指定、曜日指定、日にち指定のいずれか１つ以上の期間を基に、前記タイマー操作対象の電動遮蔽装置に対し異なる動作を自動で実行させる機能を更に有することを特徴とする、請求項１から３のいずれか一項に記載の移動端末。
【請求項５】
タッチパネル式の表示画面を備え電動遮蔽装置に対するタイマー操作を可能とする移動端末と前記電動遮蔽装置とを中継通信する信号処理装置であって、
タイマー操作対象の電動遮蔽装置の設置場所を示す位置情報を設定する位置情報設定手段と、
前記位置情報に応じた日出・日没時刻を自動算出し前記日出・日没時刻を基準にタイマー動作時間を設定するタイマー設定手段と、
指定のタイマー動作を設定するタイマー動作設定手段と、を備え、
当該タイマー操作対象の電動遮蔽装置に対し、当該設定したタイマー動作時間で、当該指定されるタイマー動作を自動で実行させることを特徴とする信号処理装置。
【請求項６】
タッチパネル式の表示画面を備え電動遮蔽装置に対するタイマー操作を可能とする移動端末と前記電動遮蔽装置とを中継通信する信号処理装置とを備える電動遮蔽装置の遠隔操作システムであって、
前記移動端末は、
タイマー操作対象の電動遮蔽装置の設置場所を示す位置情報を設定する位置情報設定手段と、
日出・日没時刻を基準にタイマー動作時間を設定するタイマー設定手段と、
指定のタイマー動作を設定するタイマー動作設定手段と、
前記位置情報、前記タイマー動作時間、及び前記指定のタイマー動作の設定情報を含む設定データを前記信号処理装置に送信する手段と、を備え、
前記信号処理装置は、
前記移動端末から当該設定されたタイマー動作時間を含む設定データを受信保持して管理し、当該タイマー操作対象の電動遮蔽装置に対し、当該日出・日没時刻を基準に設定されたタイマー動作時間で、当該指定されるタイマー動作を自動で実行させる手段を備えることを特徴とする電動遮蔽装置の遠隔操作システム。
【発明の詳細な説明】
【技術分野】
【０００１】
本発明は、電動遮蔽装置を制御する移動端末及び信号処理装置、並びに電動遮蔽装置の遠隔操作システムに関する。
【背景技術】
【０００２】
従来、スマートフォンやタブレット等の移動端末を用いて、電動式の縦型又は横型ブラインド、ロールスクリーン、カーテン、ローマンシェード等の屋内の電動遮蔽装置を制御可能とするシステムが知られている。
【０００３】
例えば、リモートコントローラや有線スイッチで操作可能な電動遮蔽装置に対し、タッチパネル式の表示画面を備える移動端末をリモートコントローラや有線スイッチと同等に機能させるだけでなく、種々の電動遮蔽装置の個別操作、グループ操作、全体操作、或いはタイマー操作の操作性を向上させるよう、移動端末から中継変換機を介して電動遮蔽装置へと通信接続する技法が開示されている（例えば、特許文献１参照）。
【０００４】
この特許文献１の技法においては、移動端末と送受信親機或いは中継変換機との接続のために、Ｗｉ−Ｆｉ等の近距離無線通信、或いはインターネット経由の接続を想定し、移動端末のタッチパネル式の表示画面に提示される電動遮蔽装置の操作に係るアプリケーションを起動すると、操作対象の電動遮蔽装置のタスクが表示されるものとなっている。
【先行技術文献】
【特許文献】
【０００５】
【特許文献１】特開２０１７−３４４１９号公報
【発明の概要】
【発明が解決しようとする課題】
【０００６】
上述したように、特許文献１には、電動遮蔽装置に対し、タッチパネル式の表示画面を備える移動端末から中継変換機を介して電動遮蔽装置へと通信接続する技法が開示されている。しかし、従来技法では、電動ブラインドのタイマー設定は設定画面で時間を入力するか、操作した時間を記憶し、その時間で繰り返す方法があったが、地域や季節等に応じた日出・日没時刻の変化に対応させることができなかった。
【０００７】
このため、タイマー操作対象の電動遮蔽装置について、地域や季節等に応じた日出・日没時刻の変化に対応させてタイマー動作させるように設定制御可能とする技法が望まれる。
【０００８】
本発明の目的は、上述した問題に鑑みて、タイマー操作対象の電動遮蔽装置について、その位置情報（緯度・経度情報又は更に高度を加味した情報など）データと日出・日没時刻データに基づいて動作させるように設定制御可能とする移動端末及び信号処理装置、並びに電動遮蔽装置の遠隔操作システムを提供することにある。
【課題を解決するための手段】
【０００９】
本発明の移動端末は、タッチパネル式の表示画面を備え電動遮蔽装置に対するタイマー操作を可能とする移動端末であって、タイマー操作対象の電動遮蔽装置の設置場所を示す位置情報を設定する位置情報設定手段と、日出・日没時刻を基準にタイマー動作時間を設定するタイマー設定手段と、指定のタイマー動作を設定するタイマー動作設定手段と、を備え、当該タイマー操作対象の電動遮蔽装置に対し、当該設定したタイマー動作時間で、当該指定されるタイマー動作を自動で実行させることを特徴とする。
【００１０】
また、本発明の移動端末において、前記タイマー設定手段は、前記位置情報に応じた日出・日没時刻を自動算出し、前記日出・日没時刻からプラス又はマイナス若しくはその両方の時間で前記タイマー動作時間を設定する機能を有することを特徴とする。
【００１１】
また、本発明の移動端末において、前記位置情報設定手段は、前記位置情報として、前記タイマー操作対象の電動遮蔽装置の設置場所を示す緯度・経度又は緯度・経度・高度をインターネット経由の地図、又は位置認識情報を参照して設定する機能を有することを特徴とする。
【００１２】
また、本発明の移動端末において、前記タイマー設定手段は、月指定、曜日指定、日にち指定のいずれか１つ以上の期間を基に、前記タイマー操作対象の電動遮蔽装置に対し異なる動作を自動で実行させる機能を更に有することを特徴とする。
【００１３】
また、本発明の信号処理装置は、タッチパネル式の表示画面を備え電動遮蔽装置に対するタイマー操作を可能とする移動端末と前記電動遮蔽装置とを中継通信する信号処理装置であって、タイマー操作対象の電動遮蔽装置の設置場所を示す位置情報を設定する位置情報設定手段と、前記位置情報に応じた日出・日没時刻を自動算出し前記日出・日没時刻を基準にタイマー動作時間を設定するタイマー設定手段と、指定のタイマー動作を設定するタイマー動作設定手段と、を備え、当該タイマー操作対象の電動遮蔽装置に対し、当該設定したタイマー動作時間で、当該指定されるタイマー動作を自動で実行させることを特徴とする。
【００１４】
また、本発明の電動遮蔽装置の遠隔操作システムは、タッチパネル式の表示画面を備え電動遮蔽装置に対するタイマー操作を可能とする移動端末と前記電動遮蔽装置とを中継通信する信号処理装置とを備える電動遮蔽装置の遠隔操作システムであって、前記移動端末は、タイマー操作対象の電動遮蔽装置の設置場所を示す位置情報を設定する位置情報設定手段と、日出・日没時刻を基準にタイマー動作時間を設定するタイマー設定手段と、指定のタイマー動作を設定するタイマー動作設定手段と、前記位置情報、前記タイマー動作時間、及び前記指定のタイマー動作の設定情報を含む設定データを前記信号処理装置に送信する手段と、を備え、前記信号処理装置は、前記移動端末から当該設定されたタイマー動作時間を含む設定データを受信保持して管理し、当該タイマー操作対象の電動遮蔽装置に対し、当該日出・日没時刻を基準に設定されたタイマー動作時間で、当該指定されるタイマー動作を自動で実行させる手段を備えることを特徴とする。
【発明の効果】
【００１５】
本発明によれば、地域や季節等で変化する日出・日没時刻に応じて適応的に電動遮蔽装置を自動動作させることができ、そのタイマー設定を容易化し、利便性の高い自動化されたタイマー動作を実行させることができるようになる。
【図面の簡単な説明】
【００１６】
【図１】本発明による一実施形態の移動端末による電動遮蔽装置の遠隔操作システムの一例を示す図である。
【図２】本発明による一実施形態の移動端末、及び信号処理装置の概略構成を示すブロック図である。
【図３】（ａ）,（ｂ）は、それぞれ本発明による一実施形態の移動端末による電動遮蔽装置の遠隔操作のための一実施例のデバイス操作画面（ブラインド選択画面／操作選択画面）を例示する図である。
【図４】（ａ）,（ｂ）は、それぞれ本発明による一実施形態の移動端末による電動遮蔽装置の遠隔操作のための一実施例のデバイス操作画面（操作選択画面／遠隔操作画面）を例示する図である。
【図５】（ａ）,（ｂ）は、それぞれ本発明による一実施形態の移動端末による電動遮蔽装置の遠隔操作のための一実施例のデバイス操作画面（操作選択画面／タイマー設定第１画面）を例示する図である。
【図６】（ａ）,（ｂ）は、それぞれ本発明による一実施形態の移動端末による電動遮蔽装置の遠隔操作のための一実施例のデバイス操作画面（タイマー設定第２画面／タイマー設定第３画面）を例示する図である。
【図７】（ａ）,（ｂ）,（ｃ）は、それぞれ本発明による一実施形態の移動端末による電動遮蔽装置の遠隔操作のための一実施例のデバイス操作画面（タイマー例外設定第１画面／タイマー例外設定第２画面／タイマー例外設定第３画面）を例示する図である。
【発明を実施するための形態】
【００１７】
以下、図面を参照して、移動端末１により、近距離無線通信を経て信号処理装置２を経由し操作対象の電動遮蔽装置８を操作可能とする一実施形態の遠隔操作システムについて説明する。
【００１８】
（システム全体）
図１は、本発明による一実施形態の移動端末１による電動遮蔽装置８の遠隔操作システムの一例を示す図である。本例に係る移動端末１は、移動端末１と電動遮蔽装置８との間に設置される中継変換機として機能する信号処理装置２からデバイス操作（電動遮蔽装置８の操作）に関する操作メニュー（図示略）を示すユーザーインターフェース（ＵＩ）が提示されるものとなっている。ただし、本実施形態の変形例として、移動端末１は、操作メニューを提示するアプリケーションを予め記憶して、このアプリケーションの実行により、信号処理装置２を経て電動遮蔽装置８を遠隔操作する構成とすることや、信号処理装置２を各電動遮蔽装置８に備え付けることで、移動端末１が操作対象の電動遮蔽装置８と直接的に通信する形態とすることもできる。
【００１９】
移動端末１は、タッチパネル式の表示画面を有し、操作者による所定種類のタッチ操作（スワイプ操作、ピンチイン操作、ピンチアウト操作、フリック操作、所定回数のタップ操作、及びロングタップ操作を含む）を検出し、そのタッチ操作に予め関連付けた動作を行うよう構成され、例えばスマートフォンやタブレット等とすることができる。特に、本実施形態の移動端末１は、無線ルーター３に対する通信経路６で示すＷｉ−Ｆｉ等の近距離無線通信を介して、この無線ルーター３に有線又は無線ＬＡＮの通信経路４を経て接続される信号処理装置２と相互通信接続可能となっている。尚、無線ルーター３は、通信経路５を経て屋外からの接続又は屋外への接続を許容しており、信号処理装置２は、インターネット等のネットワーク上の一機器として接続されている。
【００２０】
そして、信号処理装置２は、移動端末１により、屋内に設置される種々の電動遮蔽装置８を操作可能とするための中継変換機として構成され、本例ではＷｅｂサーバとして構成され、固有のＷｅｂアドレスを有している。即ち、移動端末１は、当該Ｗｅｂアドレスによって信号処理装置２に通信接続すると、Ｗｅｂサーバとして構成される信号処理装置２から、屋内に設置される種々の電動遮蔽装置８を操作可能とするユーザーインターフェース（ＵＩ）が提示される。このため、移動端末１は、Ｗｅｂサーバ機能を有する信号処理装置２を経て、電動遮蔽装置８を操作するためのＷｅｂ端末として機能するようになっている。
【００２１】
従って、本例の移動端末１は、操作メニューを提示するアプリケーションを予め記憶しておく必要はなく、移動端末１の負荷の増大を避けることができる。ただし、本実施形態の移動端末１は、操作メニューを提示するアプリケーションを予め記憶して、このアプリケーションの実行により、信号処理装置２を経て電動遮蔽装置８を遠隔操作する構成とすることもできる。
【００２２】
信号処理装置２は、移動端末１のタッチパネル式の表示画面上に、当該信号処理装置２との接続を確立するためのＷｅｂアドレスへと誘導する起動アイコンを記憶し表示可能とするよう、登録設定させる機能を有する。また、信号処理装置２は、ユーザ認証（ユーザＩＤ及びパスワード）に基づいてユーザを認証して判別し、ユーザ毎に種々の電動遮蔽装置８の操作に係る各種設定を保持し、その各種設定を当該ＵＩ上で移動端末１に提示できるようになっている。
【００２３】
電動遮蔽装置８は、例えば電動で開閉動作する、縦型又は横型ブライド、ロールスクリーン、カーテンレール、たくし上げカーテン、或いはプリーツスクリーンなどとすることができ、図１に示す例では、代表的に横型ブライドとロールスクリーンが各間仕切り領域（例えば、リビング、寝室、部屋Ａ、…）に１以上設けられている。
【００２４】
移動端末１の操作を基に、信号処理装置２からの無線信号により動作する電動遮蔽装置８には、その無線信号を受信し、無線信号内の操作に係るコマンドに応じた動作を行わせるための制御ユニット８０が設けられている。
【００２５】
制御ユニット８０には当該電動遮蔽装置８における遮蔽材の開閉動作を操作可能とする有線スイッチ８２が有線接続され、尚且つ制御ユニット８０は通信経路９で示す無線信号通信で遠隔操作可能とするリモートコントローラ８１と無線接続可能となっている。その他、赤外線リモコンとの無線接続や、外部機器（パーソナルコンピュータ）との有線又は無線接続で電動遮蔽装置８における遮蔽材の開閉動作を操作可能とすることもきる（図示せず）。
【００２６】
リモートコントローラ８１及び有線スイッチ８２は、それぞれ当該電動遮蔽装置８における遮蔽材の開動作を操作する開ボタン（図示“△”）、開動作を操作する閉ボタン（図示“▽”）、及びその開閉動作の停止を操作する停止ボタン（図示“□”）を有する。
【００２７】
従って、制御ユニット８０を備える電動遮蔽装置８は、それぞれリモートコントローラ８１、有線スイッチ８２、及び移動端末１の操作を基に、遮蔽材の開動作を操作することができるようになっている。尚、図示する例では、個々の電動遮蔽装置８に対し個々のリモートコントローラ８１を図示しているが、１つのリモートコントローラ８１で、複数の電動遮蔽装置８を操作可能とする構成とすることもできる。例えば、電動遮蔽装置８及びリモートコントローラ８１に固有のＩＤを割り当て、これらのＩＤを基に、複数の電動遮蔽装置８を識別して個別に、或いは複数の電動遮蔽装置８を一括してグループ操作できるように設定すればよい。制御ユニット８０を備える電動遮蔽装置８は、移動端末１の操作を基に、通信経路７で示す信号処理装置２からの無線信号により操作することができる。そして、電動遮蔽装置８における制御ユニット８０は、移動端末１からの操作に係るコマンドを含む信号処理装置２からの無線信号であるか、リモートコントローラ８１からの操作に係るコマンドを含む無線信号であるかを識別できるようになっている。
【００２８】
図２は、本発明による一実施形態の移動端末１、及び信号処理装置２の概略構成を示すブロック図である。上述したように、移動端末１は、無線ルーター３に対し通信経路６で示すＷｉ−Ｆｉ等の近距離無線通信が可能であり、この無線ルーター３に有線又は無線の通信経路４を経て接続される信号処理装置２と相互通信接続可能となっている。
【００２９】
そして、信号処理装置２は、移動端末１により、屋内に設置される種々の電動遮蔽装置８を操作可能とするためのＷｅｂサーバとして構成され、固有のＷｅｂアドレスを有する。移動端末１は、当該Ｗｅｂアドレスによって信号処理装置２に通信接続すると、Ｗｅｂサーバとして構成される信号処理装置２から、屋内に設置される種々の電動遮蔽装置８を操作可能とするユーザーインターフェース（ＵＩ）が提示されるＷｅｂ端末として機能する。
【００３０】
図２に示すように、信号処理装置２は、制御部２１、通信部２２，２４、及び記憶部２３を備え、制御部２１は、ＵＩ提示制御部２１１、ユーザ登録管理部２１２、ユーザ別設定管理部２１３、デバイス別状態情報管理部２１４、及びデバイス操作用無線信号処理部２１５を有している。
【００３１】
ここで、信号処理装置２はコンピューターで構成させることができる。当該コンピューターに、制御部２１の各機能を実現させるためのプログラムは、当該コンピューターの内部又は外部のメモリ（図示せず）に記憶される（当該メモリは記憶部２３と共有にしてもよい）。コンピューターに備えられる中央演算処理装置（ＣＰＵ）などの制御で、制御部２１の各機能を実現するための処理内容が記述されたプログラムを、適宜、当該メモリから読み込んで、制御部２１の各機能に相当する処理を当該コンピューターに実現させることができる。
【００３２】
通信部２２は、無線ルーター３を介して移動端末１との相互通信を行う機能部であり、移動端末１をＷｅｂ端末として機能させて、移動端末１からの操作に対応する処理を制御部２１の制御によって可能とする通信接続を行う。
【００３３】
通信部２４は、制御部２１の制御によって電動遮蔽装置８に備えられる制御ユニット８０との相互通信を行う機能部であり、上述したように、リモートコントローラ８１からの無線信号と共通の信号フォーマットで、尚且つ操作に係るコマンドをリモートコントローラ８１のコマンドとは区別可能な態様で識別可能に構成された無線信号により、制御ユニット８０との通信接続を行う。
【００３４】
尚、信号処理装置２の設置当初の電源投入時に、制御部２１は、屋内の種々の電動遮蔽装置８に備えられる制御ユニット８０との相互通信接続を試み、通信可能となった種々の電動遮蔽装置８に対し個々を識別するＩＤを自動的に割り当て（或いは予め設定されるＩＤを読み出し）、個々を識別するデバイス番号、デバイス種類（横型ブラインド、ロールスクリーン等）、及び操作可能内容（開閉に係る開度（開閉度合）やチルト、タイマー制御等）の情報を取得して、外部編集可能に記憶部２３に記憶する。ここで、信号処理装置２が用いる電動遮蔽装置８のＩＤは、信号処理装置２自身が管理するのに用いる識別子であるため、グループ操作可能としたリモートコントローラ８１で用いる電動遮蔽装置８のＩＤと一致させる必要はない。
【００３５】
外部編集として、例えば、デバイス番号１には「リビングＡ」、デバイス番号２には「リビングＢ」等のＵＩ表示を可能とする分かりやすいデバイス名称を付与することができる。また、本実施形態の信号処理装置２は、ユーザ単位での種々の電動遮蔽装置８を動作設定できるため、ユーザ毎に異なるデバイス名称を付与することもできる。この外部編集のために、当該タッチパネル式表示部１１に、屋内に設置される種々の電動遮蔽装置８を操作可能とするユーザーインターフェース（ＵＩ）を提示した際に、当該編集可能な編集メニュー欄を設けるか、又は、信号処理装置２自体に外部編集可能なキーボードや操作パネル等を設けるか、或いはネットワーク上に接続されるコンピューターにより当該外部編集を行えるように信号処理装置２が構成される。
【００３６】
ＵＩ提示制御部２１１は、タッチパネル式表示部１１に、種々の電動遮蔽装置８を操作可能とするユーザーインターフェース（ＵＩ）を提示する機能部である。移動端末１に提示されるＵＩについては後述する。
【００３７】
ユーザ登録管理部２１２は、移動端末１に提示したＵＩを介してユーザ認証を行うためのユーザＩＤ及びパスワードをユーザに設定させ、記憶部２３に記憶保持して管理する機能部である。ユーザ認証は、ＵＩ提示制御部２１１の一機能としてユーザ認証用ＵＩを提示して行われ、ユーザ登録管理部２１２によって管理するユーザＩＤ及びパスワードが利用される。
【００３８】
ユーザ別設定管理部２１３は、移動端末１に提示したＵＩを介してユーザ毎に種々の電動遮蔽装置８の操作に係る各種設定をユーザに設定させ、記憶部２３に記憶保持して管理し、当該ＵＩ上に設定内容を提示可能とする機能部である。
【００３９】
特に、本実施形態では、ユーザ別設定管理部２１３は、現在日時を管理する機能と、当該タイマー操作対象の電動遮蔽装置８の設置される場所の位置情報（緯度・経度情報又は更に高度を加味した情報など）に応じて現在日時を基に日出・日没時刻を自動算出する機能を有し、移動端末１からＵＩを介して設定されたタイマー操作に関する設定データ（詳細に後述する）を受信保持して管理する。例えば、ユーザ別設定管理部２１３は、信号処理装置２内の計算機での算出値又は予め計算済の当該タイマー操作対象の電動遮蔽装置８の設置される場所の位置情報（緯度・経度情報又は更に高度を加味した情報など）に応じた年間の日出・日没時刻を示すデータテーブル、又は外部クラウドサービスを参照して自動認識することで、日出・日没時刻を自動算出する。ただし、日出・日没時刻の自動算出は、移動端末１側で行う構成とすることもできる。
【００４０】
そして、ユーザ別設定管理部２１３は、当該設定データに含まれる位置情報を基に当該タイマー操作対象の電動遮蔽装置８の設置される場所を特定し、該位置情報に応じた日出・日没時刻を自動算出し当該設定データに含まれるタイマー動作時間（日出・日没時刻を基準にした時刻）を特定し、当該設定データに含まれる遮蔽材の開閉に係る指定されるタイマー動作の設定に応じて対応するコマンドを生成し、デバイス操作用無線信号処理部２１５によって該コマンドを含む無線信号を当該タイマー操作対象の電動遮蔽装置８に対し送信させ、当該タイマー操作対象の電動遮蔽装置８に対し当該設定したタイマー動作時間で指定されるタイマー動作を自動で実行させる。
【００４１】
尚、当該タイマー操作対象の電動遮蔽装置８の設置される場所の位置情報（緯度・経度情報又は更に高度を加味した情報など）に応じた年間の日出・日没時刻を示すテーブルは、例えば都道府県別の年間の日出・日没時刻を示すものであればよく、厳格な緯度・経度の数値である必要ではない。また、信号処理装置２が設置される時点で当該タイマー操作対象の電動遮蔽装置８の設置される場所の位置情報は特定できるため、信号処理装置２の設置時点に当該位置情報を設定させる構成とする場合には、必ずしも移動端末１からＵＩを介して当該タイマー操作対象の電動遮蔽装置８の設置される場所の位置情報を設定させる必要はない。換言すれば、移動端末１からＵＩを介して当該タイマー操作対象の電動遮蔽装置８の設置される場所の位置情報を設定させる構成とするときは、信号処理装置２の設置時点に当該位置情報を設定させる必要が無く、信号処理装置２の構成を設置場所に限定されない汎用化が可能となる。
【００４２】
デバイス別状態情報管理部２１４は、通信確立時の移動端末１に対し、その通信確立時における全ての操作可能な電動遮蔽装置８における遮蔽材の状態（動作中であるか否か、及び非動作中であれば遮蔽材の開閉状態）を、各電動遮蔽装置８の制御ユニット８０から取得し、電動遮蔽装置８別（即ちデバイス別）の状態情報管理テーブルを生成し、記憶部２３に記憶保持して管理し、当該ＵＩ上にデバイス別の状態情報を提示可能とする機能部である。
【００４３】
また、デバイス別状態情報管理部２１４は、通信確立後の移動端末１におけるＵＩ上の操作要求に応じて、操作対象の電動遮蔽装置８についてのみ、遮蔽材の状態（動作中であるか否か、及び非動作中であれば遮蔽材の開閉状態）を、当該電動遮蔽装置８の制御ユニット８０から取得し、当該電動遮蔽装置８の状態情報管理テーブルを更新し、記憶部２３に記憶保持して管理し、当該ＵＩ上に当該操作要求に係るデバイスの状態情報を提示可能とする機能も有する。
【００４４】
デバイス操作用無線信号処理部２１５は、移動端末１に提示したＵＩを介してユーザの操作に係るコマンドを含む操作対象の電動遮蔽装置８用（即ちデバイス用）の無線信号を生成し、通信部２４により当該無線信号を出力する機能部である。
【００４５】
また、図２に示すように、移動端末１は、制御部１０、タッチパネル式表示部１１、及び通信部１２を備え、制御部１０はＵＩ提示部１０１を有している。ＵＩ提示部１０１は、ユーザ登録部１０２、ユーザ別デバイス動作指定設定部１０３、及びデバイス操作部１０４を有している。また、ユーザ別デバイス動作指定設定部１０３は、“グループ操作”の設定をＵＩ上で機能させるグループ設定部１０３１、及び、“タイマー操作” の設定をＵＩ上で機能させるタイマー設定部１０３２を備えている。
【００４６】
ここで、移動端末１はコンピューターで構成させることができる。当該コンピューターに、制御部１０の各機能を実現させるためのプログラムは、当該移動端末１の内部のメモリ（図示せず）に記憶される。コンピューターに備えられる中央演算処理装置（ＣＰＵ）などの制御で、制御部１０の各機能を実現するための処理内容が記述されたプログラムを、適宜、当該メモリから読み込んで、制御部１０の各機能に相当する処理を当該コンピューターに実現させることができる。
【００４７】
タッチパネル式表示部１１は、種々の電動遮蔽装置８を操作可能とするユーザーインターフェース（ＵＩ）を提示させるためのタッチパネル式の表示画面を有し、操作者による所定種類のタッチ操作（スワイプ操作、ピンチイン操作、ピンチアウト操作、フリック操作、所定回数のタップ操作、及びロングタップ操作を含む）を検出し、そのタッチ操作に予め関連付けた動作を行うよう構成される。
【００４８】
通信部１２は、無線ルーター３を介して信号処理装置２との相互通信を行う機能部であり、信号処理装置２はＷｅｂサーバとして構成され、移動端末１をＷｅｂ端末として機能させる通信接続を行う。
【００４９】
ＵＩ提示部１０１は、信号処理装置２におけるＵＩ提示制御部２１１の制御によって、タッチパネル式表示部１１に、屋内に設置される種々の電動遮蔽装置８を操作可能とするＵＩを提示させる機能部である。ただし、本実施形態の移動端末１は、操作メニューを提示するアプリケーションを予め記憶して、このアプリケーションの実行によりＵＩをタッチパネル式表示部１１に提示することもできる。
【００５０】
ユーザ登録部１０２は、移動端末１に提示されたＵＩを介してユーザ認証を行うためのユーザＩＤ及びパスワードをユーザに設定させ、信号処理装置２におけるユーザ登録管理部２１２の制御によって管理させる機能部である。
【００５１】
ユーザ別デバイス動作指定設定部１０３は、移動端末１に提示されたＵＩを介してユーザ毎に種々の電動遮蔽装置８の操作に係る各種設定をユーザに設定させ、信号処理装置２におけるユーザ別設定管理部２１３の制御によって管理させる機能部である。
【００５２】
ユーザ別デバイス動作指定設定部１０３による各種設定として、指定した電動遮蔽装置８の操作を個別に行う“個別操作”、グループ設定部１０３１の機能によりグループ指定した複数の電動遮蔽装置８の操作を一括して行う“グループ操作”、並びにタイマー設定部１０３２の機能により指定した電動遮蔽装置８に対し所定時刻になると指定した動作を行う“タイマー操作”等に関する設定がある。これらの設定はユーザ単位で設定できるようになっている。
【００５３】
デバイス操作部１０４は、タッチパネル式表示部１１に提示されるＵＩ上で、操作者による所定種類のタッチ操作（スワイプ操作、ピンチイン操作、ピンチアウト操作、フリック操作、所定回数のタップ操作、及びロングタップ操作を含む）を検出し、そのタッチ操作に予め関連付けた動作を行う機能部である。例えば、デバイス操作部１０４は、移動端末１に提示されたＵＩを介して複数の電動遮蔽装置８の操作を個別に行う“個別操作”、ユーザ別デバイス動作指定設定部１１３の設定機能でグループ指定した複数の電動遮蔽装置８の操作を一括して行う“グループ操作”、及び指定した電動遮蔽装置８に対し所定時刻になると指定した動作を行う“タイマー操作”等を選択的に操作可能とする機能部である。
【００５４】
そして、信号処理装置２は、ユーザ別設定管理部２１３により、移動端末１に提示したＵＩを介してユーザ毎に種々の電動遮蔽装置８の操作に係る各種設定をユーザに設定させ、記憶部２３に記憶保持して管理し、当該ＵＩ上に設定内容を提示可能とする。
【００５５】
本実施形態では、移動端末１における起動アイコンのタッチ操作で信号処理装置２との通信が確立され、信号処理装置２におけるＵＩ提示制御部２１１の機能により操作・設定用のＵＩが移動端末１におけるタッチパネル式表示部１１に提示される。当該ＵＩの初期画面として、例えば、図３（ａ）に示すように、遠隔操作可能とする旨を示す１以上の電動遮蔽装置８が識別可能にタッチパネル式表示部１１に表示される。図３（ａ）に示す例では、“ブラインドＮｏ．１”、“ブラインドＮｏ．４”のように予め登録されているブラインド名で、２台の電動遮蔽装置８を識別可能な選択画面Ｐ０がタッチパネル式表示部１１に表示されている。“ブラインドＮｏ．１”、“ブラインドＮｏ．４”の選択画面Ｐ０に対し、例えば移動端末１の操作者が“ブラインドＮｏ．１”のタスクをタッチ操作で選択すると、図３（ｂ）に例示するＵＩが提示され、“ブラインドＮｏ．１”の操作・設定が可能となる。
【００５６】
図３（ｂ）において、“動かす”のメニューＰ１、“グループ設定”のメニューＰ２、及び“タイマー設定”のメニューＰ３が、ユーザ別デバイス動作指定設定部１０３の機能により提示される例を示している。移動端末１の操作者によって、“動かす”のメニューＰ１がタッチ操作で選択されると、“個別操作”又は“グループ操作”として、指定した電動遮蔽装置８（“ブラインドＮｏ．１”）に対する個別の、又は指定した電動遮蔽装置８（“ブラインドＮｏ．１”）が属するグループの操作を一括して遠隔操作する画面が選択的に提示される。
【００５７】
例えば図４に示すように、移動端末１の操作者によって、“動かす”のメニューＰ１がタッチ操作で選択されると（図４（ａ）参照）、図４（ｂ）に例示するような、“個別操作”を指定するか、又は“グループ操作” を指定するかの選択メニューＰ４，Ｐ５を表示するＵＩがタッチパネル式表示部１１に提示される。図４（ｂ）では、移動端末１の操作者のタッチ操作によって“個別操作” の選択メニューＰ４が指定され、その旨を示す表示（〇内に黒点）が示されている。
【００５８】
そして、図４（ｂ）は、遮蔽材の開閉（本例では昇降）操作と、遮蔽材のチルト（回転）操作が行えるように、タッチパネル式表示部１１に、それぞれに対応する当該操作対象の電動遮蔽装置８を模擬したデバイス表示画像Ｐ７，Ｐ９（背景画像Ｐ６，Ｐ８）、及び操作可能なタスク（例えば当該遮蔽材の昇降操作としてのタスクＵ１と、当該遮蔽材の回転操作としてのタスクＵ２）を示す操作タスク画像が合成表示されるＵＩを提示する例である。図４（ｂ）における“戻る”のタスクＵ３のタッチ操作で、図４（ａ）に示す画面に戻るようになっている。
【００５９】
このような図４（ｂ）に示す例において、移動端末１は、操作対象の電動遮蔽装置８に対し操作者の所望位置での遮蔽材の開閉（本例では昇降）操作、操作者の所望位置での遮蔽材のチルト（回転）操作が可能であり、更に、順次アニメーションのようにデバイス表示画像Ｐ７，Ｐ９を更新提示するとともに、逐次、当該操作対象の電動遮蔽装置８の現在状態に応じたタスクＵ１，Ｕ２を示す操作タスク画像を動的に合成表示することで、移動端末１の操作者は、直感的に理解でき、その操作性を向上させることができる。尚、“グループ操作”の指定で、操作対象の電動遮蔽装置８に対し所望位置での遮蔽材の開閉（本例では昇降）操作、所望位置での遮蔽材のチルト（回転）操作を行うときは、当該操作対象の電動遮蔽装置８が属するグループ内の全ての電動遮蔽装置８が一括して動作し、チルト（回転）操作に対応していない電動ロールスクリーン等の電動遮蔽装置８は遮蔽材の開閉（本例では昇降）操作のみが行われる。
【００６０】
また、図３（ｂ）において、移動端末１の操作者によって、“グループ設定”のメニューＰ２が選択されると、グループ設定部１０３１の機能により、指定した電動遮蔽装置８（“ブラインドＮｏ．１”）が属するグループの設定又は設定変更等の画面が提示される（図示せず）。
【００６１】
そして、図３（ｂ）において、移動端末１の操作者によって、“タイマー設定”のメニューＰ３が選択されると、タイマー設定部１０３２の機能により、指定した電動遮蔽装置８（“ブラインドＮｏ．１”）に対し所定時刻になると指定した動作を行う“タイマー操作”に関する設定の画面が提示される。
【００６２】
（タイマー操作の設定）
特に、本実施形態に係るタイマー設定部１０３２の機能は、図５を参照して詳細に後述するが、従来技法のような電動ブラインドの遮蔽材の開閉（本例では昇降）操作又はチルト（回転）操作に係るタイマー設定に関する時間設定とは別に、地域や季節等に応じた日出・日没時刻の変化に自動的に対応させ、且つ指定した動作をタイマー操作対象の電動遮蔽装置８に対し自動に行わせるタイマー操作を可能とするよう構成される。
【００６３】
このため、本実施形態に係るタイマー設定部１０３２の機能は、図６を参照して詳細に後述するが、タイマー操作対象の電動遮蔽装置８の位置情報（緯度・経度情報又は更に高度を加味した情報など）の設定と、タイマー動作時間（日出・日没時刻を基準にした時刻）の設定と、遮蔽材の開閉に係る指定されるタイマー動作の設定とを行うＵＩを提示する。これらの設定情報を含む設定データは移動端末１から信号処理装置２に送信され、信号処理装置２によって、タイマー操作対象の電動遮蔽装置８のタイマー動作を実行させるように構成している。
【００６４】
また、本実施形態に係るタイマー設定部１０３２の機能は、図７を参照して詳細に後述するが、季節変化に対応させるための月指定、曜日指定、及び日にち指定のうちいずれか１つ以上の例外設定を許容して、例外設定によって指定した動作をタイマー操作対象の電動遮蔽装置８に対し自動に行わせるタイマー操作を可能とするよう構成される。
【００６５】
（タイマー操作の日出・日没時刻設定）
図５（ａ）,（ｂ）は、それぞれ本発明による一実施形態の移動端末１による電動遮蔽装置８の遠隔操作のための一実施例のデバイス操作画面（操作選択画面／タイマー設定第１画面）を例示する図である。
【００６６】
移動端末１の操作者によって、“タイマー設定”のメニューＰ３がタッチ操作で選択されると（図５（ａ）参照）、タイマー設定部１０３２の機能によって、タイマー設定第１画面として図５（ｂ）に例示するような、“日出・日没自動”を指定するか、又は“時間を指定” を指定するかの選択メニューＰ１０，Ｐ１１を表示するＵＩがタッチパネル式表示部１１に提示される。図５（ｂ）では、移動端末１の操作者のタッチ操作によって“日出・日没自動” の選択メニューＰ１０が指定され、その旨を示す表示（〇内に黒点）が示されている。
【００６７】
タイマー設定に係る日没・日出時刻は、本実施形態では信号処理装置２によって自動算出する構成としているが、移動端末１によって自動算出する構成とすることもできる。よって、タイマー設定に係る日没・日出時刻は、移動端末１又は信号処理装置２の現在日時の日付データに基づき移動端末１又は信号処理装置２内の計算機での算出値又は予め計算済の当該タイマー操作対象の電動遮蔽装置８の設置される場所の位置情報（緯度・経度情報又は更に高度を加味した情報など）に応じた年間の日出・日没時刻を示すデータテーブル、又は外部クラウドサービスを参照して自動認識され、タイマー動作時刻について日没・日出時刻に対しそれぞれ±○分といった設定を“△／▽”のタスクＵ４，Ｕ５のタッチ操作で操作者が行えるようにする。
【００６８】
尚、“時間を指定” の選択メニューＰ１１が指定されたときは、従来技法のような電動ブラインドの遮蔽材の開閉（本例では昇降）操作又はチルト（回転）操作に係るタイマー設定に関する時間設定が可能であり、朝・夕でそれぞれ○時○分といった設定を“△／▽”のタスクＵ６，Ｕ７のタッチ操作で操作者が行うことができる。
【００６９】
また、“日出・日没自動”の設定と、“時間を指定” の設定のいずれを優先させるかは予め定めておくか、又は最新に設定した一方を優先させ他方は無効にするか、或いは“日出・日没自動”の設定や“時間を指定” の設定時に、“クリア”のタスクＵ８のタッチ操作で「設定なし」を示す表示状態にすることで、優先設定できるようにする。
【００７０】
そして、図５（ｂ）における“次へ”のタスクＵ９のタッチ操作で、以下に説明するタイマー操作の動作設定と位置情報設定に関する図６（ａ）に示すタイマー設定第２画面に移行するようになっている。
【００７１】
（タイマー操作の動作設定と位置情報設定）
図６（ａ）,（ｂ）は、それぞれ本発明による一実施形態の移動端末１による電動遮蔽装置８の遠隔操作のための一実施例のデバイス操作画面（タイマー設定第２画面／タイマー設定第３画面）を例示する図である。
【００７２】
図６（ａ）に示すタイマー設定第２画面は、「朝の動作」と「夕の動作」のそれぞれについて、操作者の所望位置での遮蔽材の開閉（本例では昇降）のタイマー動作設定と、操作者の所望位置での遮蔽材のチルト（回転）のタイマー動作設定が行えるようにＵＩがタッチパネル式表示部１１に提示される。図６（ａ）に示す例では、「朝の動作」と「夕の動作」のそれぞれに対応する当該タイマー操作対象の電動遮蔽装置８を模擬したデバイス表示画像Ｐ１３，Ｐ１５、或いはＰ１７，Ｐ１９（背景画像Ｐ１２，Ｐ１４、或いはＰ１６，Ｐ１８）、及びタイマー動作設定可能なタスク（例えば当該遮蔽材の昇降動作としてのタスクＵ１０，Ｕ１２、或いは当該遮蔽材の回転動作としてのタスクＵ１１，Ｕ１３）を示すタイマー動作設定タスク画像が合成表示されたＵＩが提示される。
【００７３】
図６（ａ）に示すタイマー設定第２画面で、操作者は日出、日没のそれぞれに対応する所望のタイマー動作（高さ、角度）を設定することができる。そして、図６（ａ）における“次へ”のタスクＵ１３のタッチ操作で、以下に説明するタイマー操作の位置情報設定に関する図６（ｂ）に示すタイマー設定第３画面に移行するようになっている。
【００７４】
タイマー設定に係る日没・日出時刻は、電動遮蔽装置８が設置されている地域によっても変化するため、図６（ｂ）に示すタイマー設定第３画面として、電動遮蔽装置８が設置されている場所の位置情報（緯度・経度情報又は更に高度を加味した情報など）を設定するために、“地図からの指定”によるか、又は“ＧＰＳ自動”によるかの選択メニューＰ２０，Ｐ２１を表示するＵＩがタッチパネル式表示部１１に提示される。操作者のタッチ操作で“地図からの指定” の選択メニューＰ２０が指定された時は、移動端末１はインターネット経由で所得した地図を表示させ、位置指定のタスクＵ１４を達し操作で行うことで、電動遮蔽装置８が設置されている場所の位置情報（緯度・経度情報又は更に高度を加味した情報など）を設定する。電動遮蔽装置８が設置されている場所に移動端末１の操作者が居る場合では、操作者はタッチ操作で“ＧＰＳ自動” の選択メニューＰ２１を指定し、移動端末１の位置認識情報（ＧＰＳ、又は近隣受信基地局からの推定位置）を参照して、当該位置情報（緯度・経度情報又は更に高度を加味した情報など）を自動設定する。
【００７５】
以上のような図５及び図６に係る設定操作の後、図６（ｂ）における“設定”のタスクＵ１５のタッチ操作でタイマー操作の設定を完了させ、タイマー操作の設定に係る指定動作、日没・日出時刻を基準にしたタイマー動作時間、及び位置情報（緯度・経度情報又は更に高度を加味した情報など）を含む設定データが信号処理装置２に送信され、信号処理装置２に保存され管理される。
【００７６】
信号処理装置２は、ユーザ別設定管理部２１３によって当該設定データに応じて対応するコマンドを、タイマー操作対象の電動遮蔽装置８に送信し自動動作させる。
【００７７】
尚、当該設定データは、ユーザＩＤ単位で移動端末１又は指定した電動遮蔽装置８の制御ユニット８０のいずれかに保存されるものとしてもよい。移動端末１に当該設定データが保存されている場合では、当該設定データに応じて対応するコマンドを、信号処理装置２経由でタイマー操作対象の電動遮蔽装置８に送信し自動動作させる。電動遮蔽装置８の制御ユニット８０に当該設定データが保存されている場合では、当該制御ユニット８０は当該設定データに応じて自動動作させる。
【００７８】
このようにして、本実施形態では、移動端末１によって日出、日没のそれぞれに対応する電動遮蔽装置８の動作（遮蔽材の高さ、角度）を設定し、電動遮蔽装置８の設置場所の位置情報（緯度・経度情報又は更に高度を加味した情報など）に応じた日没・日出時刻に基づき指定のタイマー動作を自動で実行させるように構成される。
【００７９】
また、タイマー動作は、季節や曜日、日にちによっては異なる指定動作を行わせたい場合もある。例えば、休日の朝は電動遮蔽装置８の遮蔽材を開けたくないときや、開閉する時間を遅くしたい場合などがある。そこで、本実施形態では、月指定の期間ごとに、曜日ごとに、或いは日にちを指定して、別のタイマー動作を設定することができるようになっている。具体的には、図６（ｂ）における“例外”のタスクＵ１６のタッチ操作で、以下に説明するタイマー操作の例外設定に関する図７（ａ）に示すタイマー例外設定第１画面に移行するようになっている。
【００８０】
（タイマー操作の例外設定）
図７（ａ）,（ｂ）,（ｃ）は、それぞれ本発明による一実施形態の移動端末１による電動遮蔽装置８の遠隔操作のための一実施例のデバイス操作画面（タイマー例外設定第１画面／タイマー例外設定第２画面／タイマー例外設定第３画面）を例示する図である。
【００８１】
上述した図６（ｂ）における“例外”のタスクＵ１６のタッチ操作で、タイマー操作の例外設定に関する図７（ａ）に示すタイマー例外設定第１画面に移行する。
【００８２】
図７（ａ）に示すタイマー例外設定第１画面では、“朝のタイマー例外動作の月指定”の画面例を示している。「朝のタイマー例外動作」について、「月指定」により、操作者の所望位置での遮蔽材の開閉（本例では昇降）のタイマー動作設定と、操作者の所望位置での遮蔽材のチルト（回転）のタイマー動作設定が行えるようにＵＩがタッチパネル式表示部１１に提示される。図７（ａ）に示す例では、朝のタイマー例外動作を行わせるための当該タイマー操作対象の電動遮蔽装置８を模擬したデバイス表示画像Ｐ２３，Ｐ２５（背景画像Ｐ２２，Ｐ２４）、及びタイマー例外動作設定可能なタスク（例えば当該遮蔽材の昇降動作としてのタスクＵ１７、或いは当該遮蔽材の回転動作としてのタスクＵ１８）を示すタイマー例外動作設定タスク画像が合成表示されたＵＩが提示される。
【００８３】
また、スケジューラ画面２６上のタスクＵ１９のタッチ操作で、本例では表示濃度又は表示色で識別可能に「月指定」で例外動作を指定できるようになっている。そして、図７（ａ）における“次へ”のタスクＵ２０のタッチ操作で、図７（ｂ）に示すタイマー例外設定第２画面に移行する。
【００８４】
図７（ｂ）に示すタイマー例外設定第２画面では、“朝のタイマー例外動作の曜日／日にち指定”の画面例を示している。図７（ｂ）に示す例では、移動端末１の操作者によって、 “曜日を指定”とするか、又は“日にちを指定” とするかの選択メニューＰ２７，Ｐ２８を表示するＵＩがタッチパネル式表示部１１に提示される。図７（ｂ）に示す例では、移動端末１の操作者のタッチ操作によって“日にちを指定” の選択メニューＰ２８が指定され、その旨を示す表示（〇内に黒点）が示されている。“日にちを指定” の選択メニューＰ２８のスケジューラ画面上のタスクＵ２２のタッチ操作で、１つ又は複数の日にちについて、本例では表示濃度又は表示色で識別可能に「日にち」で例外動作を指定できるようになっている。
【００８５】
尚、移動端末１の操作者のタッチ操作によって“曜日を指定”の選択メニューＰ２７が指定された場合では、所望の１つ又は複数の曜日をタスクＵ２１のタッチ操作で指定できる。そして、図７（ｂ）における“次へ”のタスクＵ２３のタッチ操作で、図７（ｃ）に示すタイマー例外設定第３画面に移行する。
【００８６】
図７（ｃ）に示すタイマー例外設定第３画面では、“曜日／日にち指定時の例外動作の設定”の画面例を示している。図７（ｃ）に示す例では、移動端末１の操作者によって、 “動かさない”を指定するか、又は“以下の設定で動かす” を指定するかの選択メニューＰ２９，Ｐ３０を表示するＵＩがタッチパネル式表示部１１に提示される。図７（ｃ）に示す例では、移動端末１の操作者のタッチ操作によって“動かさない” の選択メニューＰ２９が指定され、その旨を示す表示（〇内に黒点）が示されている。
【００８７】
尚、移動端末１の操作者によって“以下の設定で動かす” の選択メニューＰ３０が指定された場合では、操作者の所望位置での遮蔽材の開閉（本例では昇降）のタイマー動作設定と、操作者の所望位置での遮蔽材のチルト（回転）のタイマー動作設定が行えるようにＵＩがタッチパネル式表示部１１に提示される。図７（ｃ）に示す例では、その朝のタイマー例外動作を行わせるための当該タイマー操作対象の電動遮蔽装置８を模擬したデバイス表示画像Ｐ３２，Ｐ３４（背景画像Ｐ３１，Ｐ３３）、及びタイマー例外動作設定可能なタスク（例えば当該遮蔽材の昇降動作としてのタスクＵ２４、或いは当該遮蔽材の回転動作としてのタスクＵ２５）を示すタイマー例外動作設定タスク画像が合成表示されたＵＩが提示される。
【００８８】
このように、本実施形態では、月指定の期間ごとに、曜日ごとに、或いは日にちを指定して、別のタイマー動作を設定することができる。そして、図７（ｃ）における“戻る”のタスクＵ２６のタッチ操作で、図６（ｂ）に示すタイマー例外設定第１画面に移行するようになっている。尚、“戻る”のタスクＵ２６のタッチ操作で、設定が完了するものとしてもよいし、“戻る”ボタンとは別に“設定”ボタンを並設させて、この“設定”のタッチ操作で図７の一連のタイマー設定を完了するようにしてもよい。
【００８９】
以上のような図７の例外設定を含み、図５及び図６に係る設定操作の後、図６（ｂ）における“設定”のタスクＵ１５のタッチ操作でタイマー操作の設定を完了させ、タイマー操作の設定に係る例外設定を含む指定動作、日没・日出時刻を基準にしたタイマー動作時間、及び位置情報（緯度・経度情報又は更に高度を加味した情報など）を含む設定データが信号処理装置２に送信され、信号処理装置２に保存され管理される。
【００９０】
信号処理装置２は、ユーザ別設定管理部２１３によって当該設定データに応じて対応するコマンドを、タイマー操作対象の電動遮蔽装置８に送信し自動動作させる。
【００９１】
上述したように、当該設定データは、ユーザＩＤ単位で移動端末１又は指定した電動遮蔽装置８の制御ユニット８０のいずれかに保存されるものとしてもよい。移動端末１に当該設定データが保存されている場合では、当該設定データに応じて対応するコマンドを、信号処理装置２経由でタイマー操作対象の電動遮蔽装置８に送信し自動動作させる。電動遮蔽装置８の制御ユニット８０に当該設定データが保存されている場合では、当該制御ユニット８０は当該設定データに応じて自動動作させる。
【００９２】
このようにして、本実施形態では、移動端末１によって、例外設定を含み、日出、日没のそれぞれに対応する電動遮蔽装置８の動作（遮蔽材の高さ、角度）を設定し、電動遮蔽装置８の設置場所の位置情報（緯度・経度情報又は更に高度を加味した情報など）に応じた日没・日出時刻に基づき指定のタイマー動作を自動で実行させるように構成される。
【００９３】
従って、本実施形態によれば、位置情報（緯度・経度情報又は更に高度を加味した情報など）データと日出・日没時刻データから、電動遮蔽装置８のタイマー動作させる時間を設定させることができ、地域や季節等で変化する日出・日没時刻に応じて適応的に電動遮蔽装置８を自動動作させることができ、タイマー設定を容易化し、利便性の高い自動化されたタイマー動作ができるようになる。
【００９４】
以上、特定の実施形態の例を挙げて本発明を説明したが、本発明は前述の実施形態の例に限定されるものではなく、その技術思想を逸脱しない範囲で種々変形可能である。例えば、上述した例では移動端末１によってタイマー設定を行う特定の実施形態の例を上げて説明したが、信号処理装置２によって、タイマー設定に係る同様の機能を持たせた構成とすることもできる。従って、本発明はこれに限定されるものではなく、特許請求の範囲の記載によってのみ制限される。
【産業上の利用可能性】
【００９５】
本発明によれば、地域や季節等で変化する日出・日没時刻に応じて適応的に電動遮蔽装置を自動動作させることができるので、移動端末により電動遮蔽装置を操作可能とするシステムの用途に有用である。
【符号の説明】
【００９６】
１  移動端末
２  信号処理装置
３  無線ルーター
８  電動遮蔽装置
１０  制御部
１１  タッチパネル式表示部
１２  通信部
２１  制御部
２２，２４  通信部
２３  記憶部
８０  制御ユニット
８１  リモートコントローラ
８２  有線スイッチ
１０１  ＵＩ提示部
１０２  ユーザ登録部
１０３  ユーザ別デバイス動作指定設定部
１０４  デバイス操作部
２１１  ＵＩ提示制御部
２１２  ユーザ登録管理部
２１３  ユーザ別設定管理部
２１４  デバイス別状態情報管理部
２１５  デバイス操作用無線信号処理部
１０３１  グループ設定部
１０３２  タイマー設定部
【図１】
2019186874.tif 000003
【図２】
2019186874.tif 000004
【図３】
2019186874.tif 000005
【図４】
2019186874.tif 000006
【図５】
2019186874.tif 000007
【図６】
2019186874.tif 000008
【図７】
2019186874.tif 000009